(57)【特許請求の範囲】
【請求項１】
小型の券を内側端部が回転自在に軸支されかつ外側端部が下方に押圧されたレバー状部材によって所定位置に配置し、大型の券を小型の前記券と前記レバー状部材の下側にもぐり込むように移動させ、小型の前記券と大型の前記券を重なるように配置し、一括して排出するように構成したことを特徴とする発券装置。
【請求項２】
大型の前記券の外側縁を拘束するアーム状フック部材を備え、小型の前記券と大型の前記券の外側縁を位置合わせすることを特徴とする請求項１記載の発券装置。
【請求項３】
小型の前記券は回数券または普通券であり、大型の前記券は領収書であることを特徴とする請求項１または２記載の発券装置。
【発明の詳細な説明】
【技術分野】
【０００１】
本発明は発券装置に関し、特に、小型の券と大型の券を重ねて一括排出するのに好適な発券装置に関するものである。
【背景技術】
【０００２】
従来の発券装置において、少なくとも２枚の券を重ね一括して排出するときには、小型の券（エドモンソン券）のみ、または大型の券（領収書等）のみを整列させて外に出すように構成されていた。小型または大型の券を整列させるためには、券搬送路の搬送方向に配置されかつ上下に移動するように設けられた整列ガイド板を備えていた。図７と図８に示すように、整列ガイド板１０１は、ほぼ長方形の板部材であり、発券装置１０２の券排出部１０３の近傍内部における券搬送路１０４（支持ローラ１０４Ａ、ガイドローラ１０４Ｂ、駆動ベルト、搬送ベルト１０４Ｃ等）の中央部辺りにおいて当該券搬送路１０４に沿って立設状態にて設置されている。図７等では、整列ガイド板１０の配置位置を示す目的で、具体的ではなく、概念的に図示している。整列ガイド板１０１は、図７に示すように、図示しない制御部および駆動機構によって上下方向１０５に適時に移動するように設けられている。
【０００３】
券排出部１０３の手前において複数の小型の券を整列させる場合には、整列ガイド板１０１を券搬送路１０４の下側スペースから上側スペースに移動させて券搬送路１０４の上側に位置させ、整列ガイド板１０１が小型の券１０６の一方の縁をガイドして整列させる。また、券排出部１０３の手前において複数の大型の券を整列させる場合には、整列ガイド板１０１を券搬送路１０４の下側に移動させ、券搬送路１０４による搬送作用に基づいて大型の券１０７を整列させる。
【０００４】
整列された複数の小型の券１０６、または整列された複数の大型の券１０７は、それぞれ、発券装置１０２の券排出部１０３から重ねた状態で一括して排出される。
【０００５】
従来の発券装置の技術文献として特許文献１を挙げる。特許文献１は、乗車券を発券する発券装置において、ロール紙にカール癖がつきにくいオートローディングが可能なロール紙繰り出し部を小型にする構成を開示している。
【先行技術文献】
【特許文献】
【０００６】
【特許文献１】特開２０１１−２１６０８１号公報
【発明の概要】
【発明が解決しようとする課題】
【０００７】
従来の発券装置１０２の構成によれば、小型の券と大型の券を重ねて排出することができなかった。何故なら、最初に整列ガイド板１０１を利用して小型の券１０６を整列させ、その後に大型の券１０７を小型の券１０６に重ねようとすると、券搬送路１０４上に出ている整列ガイド板１０１が大型の券１０６の移動を阻害し（衝突１０８が起きる）、そのため小型の券１０６を整列させつつ大型の券１０７を重ねて整列させ、一括して排出することができないからである。また小型の券１０６が整列された状態で、整列ガイド板１０１を下方に移動させると、上記の衝突１０８は起きないが、小型の券１０６の整列状態が崩れ、最終的に小型の券１０６と大型の券１０７を重ねて整列させることができないという問題が生じる。
【０００８】
本発明の目的は、上記の課題に鑑み、小型の券と大型の券を重ねて整列させ一括して排出することができるようにした発券装置を提供することにある。
【課題を解決するための手段】
【０００９】
本発明に係る発券装置は、上記の目的を達成するため、次のように構成される。
【００１０】
第１の発券装置（請求項１に対応）は、小型の券を内側端部が回転自在に軸支されかつ外側端部が下方に押圧されたレバー状部材によって所定位置に配置し、大型の券を小型の券とレバー状部材の下側にもぐり込むように移動させ、小型の券と大型の券を重なるように配置し、一括して排出するように構成したことを特徴とする。
【００１１】
上記の発券装置では、例えばエドモンソン券と大型券（領収書等）とを重ねて整列させ、一括して排出することが可能となる。
【００１２】
第２の発券装置（請求項２に対応）は、上記の構成において、好ましくは、大型の券の外側縁を拘束するアーム状フック部材を備え、小型の券と大型の券の外側縁を位置合わせすることを特徴とする。
【００１５】
第３の発券装置（請求項３に対応）は、上記の構成において、好ましくは、小型の券は回数券または普通券であり、大型の券は領収書であることを特徴とする。
【発明の効果】
【００１６】
本発明によれば、小型券を整列させる整列ガイドをレバー形状で回転方式となるように構成したため、小型券の整列を崩さず、かつ大型券の移動を阻害することなく、小型券と大型券とを重ねて整列させることができ、小型券と大型券を一括して排出することができる。
【図面の簡単な説明】
【００１７】
【図１】本発明の代表的な実施形態に係る発券装置の券排出部の内部構造を透視して示した斜視図である。
【図２】本実施形態に係る発券装置券の排出部の内部構造を示す側面図である。
【図３】本実施形態に係る発券装置で小型券の整列状態を示した券排出部の内部構造の側面図である。
【図４】本実施形態に係る発券装置で小型券の整列状態を示した券排出部の内部構造の平面図である。
【図５】本実施形態に係る発券装置で小型券と大型券の整列を説明するための券排出部の内部構造の側面図である。
【図６】本実施形態に係る発券装置で小型券と大型券の整列を説明するための券排出部の内部構造の平面図である。
【図７】従来の発券装置での券排出の問題点を説明するための側面図である。
【図８】従来の発券装置での券排出の問題点を説明するための平面図である。
【発明を実施するための形態】
【００１８】
以下に、本発明の好適な実施形態（実施例）を添付図面に基づいて説明する。
【００１９】
図１および図２を参照して、本発明に係る発券装置の代表的な実施形態について、発券装置の券排出部、および小型券と大型券を重ねて整列し、券排出部から一括して排出させるための周辺部の構造を説明する。
発券装置自体は、例えば駅務機器として、旅客の操作に応じて乗車券等（普通切符や回数券等）を発行する発券装置として周知の装置である。当該発券装置は、券の元となる用紙を提供するロール紙充填装置、ロール紙供給駆動装置、印字装置、ロール紙ガイド装置、ロール紙カット装置、券搬送装置、券排出のための送出し装置等を含んで構成されている。本発明の発券装置は、さらに小型券と大型券を重ねて整列させる機構、および、その後、一括して排出する機構を備えている。
【００２０】
ここで「小型券」とは通常の切符や回数券のごとき小型の券（エドモンソン券等）のことであり、「大型券」とは切符排出後等に排出される領収書等の大型の券のことである。本実施形態に係る発券装置によれば、券排出部から通常の切符等の小型券を排出するに当たって、排出の直前に当該小型券に対して大型券を重ねて整列させ、小型券と大型券を一括して排出させることができる構成を備えている。
【００２１】
図１と図２において、この図で描かれた部分は、発券装置の券排出部およびその周辺部の構造である。これらの券排出部および周辺部構造の部分は、発券装置の装置容器内に設けられ、容器フレームに支持されている。図示された機械全体を指した符号１０は発券装置そのものを意味しており、符号１０Ａは券排出部を指している。１１は券を搬送する搬送ベルトであり、搬送ベルト１１は、券排出部１０Ａの券排出口１２の手前において支持ローラ１３によってガイドされて下方に移動し、さらに元の方向に戻るよう曲げられて進行するように設けられている。１４，１５は搬送ベルト１１を所定状態に保持するためのガイドローラである。搬送ベルト１１は、支持ローラ１３、ガイドローラ１４，１５、その他の図示しないガイド機構によって掛け渡されている。搬送ベルト１１は、券搬送路のほぼ中央位置に配置されており、その幅寸法は少なくとも小型券５１を券排出部に向かって移動させるに足る十分な寸法である。搬送ベルト１１、支持ローラ１３、ガイドローラ１４，１５等は券搬送装置を構成している。
【００２２】
次に、整列した小型券５１に大型券５２（図６に示す）を重ね、これらの小型券５１と大型券５２を一括して排出するための構成を説明する。
【００２３】
２０は、搬送ベルト１１によって搬送されてきた小型券５１を券排出口１２の手間の所定位置に整列させる整列ガイドレバーであり、３１，３２は当該所定位置に整列された小型券５１や大型券５２を押さえる押えアームであり、４０は当該所定位置に整列された小型券５１と大型券５２の各外側縁を位置合わせするアーム状フック部材である。アーム状フック部材４０は先端部に引っかけ作用を有するフック部を有する。
【００２４】
整列ガイドレバー２０は、全体形状がほぼ棒状でありかつ下面の途中で鈍角の角度が付けられるように下面部が形成されている。すなわち、整列ガイドレバー２０の下面には鈍角の角部２０Ａが形成されている（図１，３，５等に示す）。整列ガイドレバー２０の内部側の１つの端部である基端２１は、軸２２の一端に固定されている。軸２２は容器側壁フレーム２３を挿通させて取り付けられ、軸２２の一端は容器側壁フレーム２３の外側に延設されている。整列ガイドレバー２０は、軸２２の周りにおいて時計方向または反時計方向に回転できるように取り付けられている。さらに軸２２には、図示しないコイルバネ等によって、整列ガイドレバー２０の外部側の先端側部分が図１中反時計方向（下方に向かって）に回転するように圧力が掛けられている。
【００２５】
押えアーム３１は、装置内部から券排出口１２側に向かって配置され、押えアーム３１の基部３１Ａは、容器側壁フレーム２３に固定された軸３３に対して回転自在に取り付けられている。押えアーム３１は、さらに、コイルバネ３４によって軸３３の周りにおいて図１中反時計方向に回転するように圧力が掛けられている。押えアーム３１の先端側部分には２つの押えローラ３５が設けられている。２つの押えローラ３５は、搬送ベルト１１によって搬送されかつ所定の位置に整列された小型券５１等を上から押さえつける機能を有する。
【００２６】
押えアーム３２は、券排出口１２側から装置内部に向かって配置され、押えアーム３２の基部３２Ａは、容器側壁フレーム２３に固定された軸３６に対して回転自在に取り付けられている。押えアーム３２は、さらに、コイルバネ３７によって軸３６の周りにおいて図１中時計方向に回転するように圧力を掛けられている。押えアーム３２の先端側部分には押え作用を有する上記のガイドローラ１４が設けられている。ガイドローラ１４は、搬送ベルト１１をガイドすると共に、搬送ベルト１１によって搬送されてきた小型券等を押さえつける。
【００２７】
アーム状フック部材４０は装置内部から券排出口１２側に向かって配置されている。アーム状フック部材４０の基部４１は軸機構４２に取り付けられている。軸機構４２は、図示しない制御手段によって制御され、回転動作を行う。アーム状フック部材４０の先端部はフック部が形成されている。アーム状フック部材４０のフック部は、券排出口１２の直前の所定位置に整列された小型券５１と大型券５２の各外側縁を位置合わせするための機能を有する。アーム状フック部４０は、軸機構４２の回転動作に基づいて動作し、フック部による位置合せセット状態、またはフック部による位置合せの解除状態に制御される。
【００２８】
次に、図３〜図６を参照して、上記構成に基づいて、小型券５１を所定位置に整列させ、この小型券５１に大型券５２を重ね合わせ、小型券５１と大型券５２を一括して排出するための動作を説明する。
【００２９】
図３と図４は最初に小型券５１を所定の位置に整列させるときの動作状態を示す図である。図３は実質的に図２と同等の側面図であり、図４は図３を上側から見た平面図である。小型券５１はその輪郭形状を破線で示している。小型券５１は、搬送ベルト１１によって発券装置１０の内部から券排出口１２に向かって搬送されてくる。搬送ベルト１１で搬送されてきた小型券５１は、前述した容器側壁フレーム２３に沿って移動し、さらに整列ガイドレバー２０によってガイドされて、図４等に示された所定の位置に整列される。この所定位置は予め決められている。所定位置に整列された小型券５１は、下記に説明するように、後続する大型券が到来して重ねて整列されるまでの必要な時間の間、当該所定位置に保持される。
【００３０】
図５と図６は、小型券５１を所定位置に整列させた後、さらに大型券５２を所定位置に整列するときの動作状態を示す図である。図５は図３と同等の側面図であり、図６は図４を上側から見た平面図である。図６において、破線で示された小型券５１に対して、さらに大型券５２の輪郭形状を破線で示している。小型券５１が所定位置に整列された後、大型券５２は、搬送ベルト１１によって発券装置１０の内部から券排出口１２に向かって搬送されてくる。搬送ベルト１１で搬送されてきた大型券５２は、前述した容器側壁フレーム２３等によって一方の辺が拘束され、当該容器側壁フレーム２３等に沿って移動する。既に整列して所定位置にある小型券５１の後縁に接近すると、その前の段階で、図５に示すように、大型券５２の前縁が整列ガイドレバー２０の下面の角部２０Ａに当たり、大型券５２の搬送の勢いで整列ガイドレバー２０を持ち上げ、軸２２の周りに少し回転させる。整列ガイドレバー２０は、反時計方向にコイルバネ等で下方に向かって力を受けているため、持ち上げられた整列ガイドレバー２０の下面部は大型券５２の上に乗り、当該大型券５２を押えつける。この状態で、大型券５２は、小型券５１の下にもぐり込み、アーム状フック部材４０の先端のフック部で移動を拘束され、小型券５１と大型券が重なった状態で整列させられる。整列ガイドレバー２０によって大型券５２は上から押さえつけられるため、大型券５２の上の小型券５１の整列は崩れない。こうして、図６等に破線で示されるように、小型券５１と大型券５２は重ねられかつ整列させられる。
【００３１】
上記のように、券排出口１２の手前の所定位置にて小型券５１と大型券５２を重ねて整列された後、アーム状フック部材４０のフック部による位置合せが解除されるように制御されると、券送出し機構によって小型券５１と大型券５２は一括して券排出口１２から排出される。
【００３２】
上記の実施形態では、１枚の小型券と大型券をそれぞれ上下に重ねて整列するようにしたが、これに限定されない。小型券と大型券の整列位置を変更するように構成することもできる。また小型券と大型券の枚数をそれぞれ１枚以上にすることもできる。また当然のことながら、小型券だけ、または大型券だけを重ねて整列させ、一括して排出することもできる。
【００３３】
以上の実施形態で説明された構成、形状、大きさおよび配置関係については本発明が理解・実施できる程度に概略的に示したものにすぎず、また数値および各構成の組成（材質）等については例示にすぎない。従って本発明は、説明された実施形態に限定されるものではなく、特許請求の範囲に示される技術的思想の範囲を逸脱しない限り様々な形態に変更することができる。
【産業上の利用可能性】
【００３４】
本発明に係る発券装置は、乗車券等を発券する駅務機器等に利用され、小型券（エドモンソン券や回数券等）と大型券（領収書等）を重ねて一括して排出するのに利用される。
【符号の説明】
【００３５】
１０              発券装置
１０Ａ            券排出部
１１              搬送ベルト
１２              券排出口
１３              支持ローラ
１４，１５        ガイドローラ
２０              整列ガイドレバー
２０Ａ            角部
２１              基端
２２              軸
２３              容器側壁フレーム
３１，３２        押えアーム
３１Ａ，３２Ａ    基部
３３              軸
３４              コイルバネ
３５              押えローラ
３６              軸
３７              コイルバネ
４０              アーム状フック部材
４１              基部
４２              軸機構
５１              小型券
５２              大型券
１０１            整列ガイド板
１０２            発券装置
１０３            券排出部
１０４            券搬送路
１０６            小型の券
１０７            大型の券
１０８            衝突
【図１】
0006410252.tif 000002
【図２】
0006410252.tif 000003
【図３】
0006410252.tif 000004
【図４】
0006410252.tif 000005
【図５】
0006410252.tif 000006
【図６】
0006410252.tif 000007
【図７】
0006410252.tif 000008
【図８】
0006410252.tif 000009